(57)【要約】【課題】  光ディスクを収納する収納ケースの基本構造を変更することなく、蓋体を開いた状態に立たせることができる収納ケースのスタンド部材を提供することにある。【解決手段】  スタンド部材８は、スタンド本体８ａと脚部８ｂと係合部８ｃを有している。スタンド本体８ａは板状に形成されている。脚部８ｂは、収納ケース２の本体４に回動自在に取り付けられている。スタンド部材８を回動させ脚部８ｂの一辺である傾斜面８ｄを本体４上に当接することで立ち上がらせ、スタンド本体８ａの解放端にある係合部８ｃを開状態にある蓋体６の内側に突き当てることで蓋体６を斜めに開いた状態で保つことができる。【選択図】  図１
2010111413.tif 000002
【特許請求の範囲】
【請求項１】
第１の収納部を有する本体と、該本体に開閉自在に取り付けられ且つ第２の収納部を有する蓋体と、を備える収納ケースにおいて、
板状のスタンド本体と、
該スタンド本体から突出し、前記本体内部に回動自在に取り付けられる脚部と、
前記スタンド本体に設けられ且つ開状態にある前記蓋体に回動させることにより蓋体の内側から係合して開状態を保持する係合部と、
を備えることを特徴とする収納ケースのスタンド部材。
【請求項２】
前記スタンド本体は、前記蓋体を閉状態にしたときに、開閉自在に取り付けられている前記本体の端部と前記蓋体の端部との間に生じる隙間内に位置することを特徴とする請求項１記載の収納ケースのスタンド部材。
【請求項３】
前記脚部は、前記本体に摩擦による抵抗が生じる状態で開閉自在に取り付けられていることを特徴とする請求項１又は２記載の収納ケースのスタンド部材。
【発明の詳細な説明】
【技術分野】
【０００１】
本発明は、光ディスク、磁気ディスク、メモリカード、メモリチップ、カレンダー、カード等のシート状部材を収納する収納ケースに関するものであり、特に、その収納ケースの蓋体を開いた状態に保持して立たせる収納ケースのスタンド部材に関するものである。
【背景技術】
【０００２】
上記のようなシート状部材を収納する収納ケースは数多く存在するが、その中でも高精度な成形技術により形成されると共に大量に生産されているものとしてコンパクトディスク等の光ディスクを収納する収納ケースがある。この収納ケースは、箱状の本体と、この本体内に嵌め込まれるトレー状のディスク保持体と、本体に開閉自在に取り付けられた蓋体と、から構成されていた（例えば、特許文献１参照）。この収納ケースにおいては、ディスク保持体にコンパクトディスクを嵌め込み、蓋体の内側に歌詞カード等を収納していた。
【０００３】
また、シート状部材を収納する収納ケースの中には、内部に写真やカードを収納するだけでなく、ケースの外側面に回転可能に取り付けた爪スタンドを回転させて支えとすることで、ケース全体を立たせて写真立てとして使用するもの（例えば、特許文献２参照）や、本体と蓋体とを開閉自在に取り付ける部分をスライドさせることで蓋体の位置をずらして開状態を保つように構成したもの（例えば、特許文献３参照）や、裏面側にまで回り込むように蓋体を回動させて係合させることで蓋体を立たせるもの（例えば、特許文献３の図９及び図１０参照）もあった。
【特許文献１】実開平５−７７０７７号公報
【特許文献２】実用新案登録第３０２９３７０号公報
【特許文献３】実用新案登録第３０１８８４５号公報
【発明の開示】
【発明が解決しようとする課題】
【０００４】
上記のようなシート状部材を収納する収納ケースにおいては、内部にシート状部材を収納するだけでなく、蓋体を立たせることで写真立てやカレンダー立て等として使用したり、単体で収納ケースを立たせてディスプレイすることが可能となる。そこで、この収納ケースの中でも精度、強度に優れると共に大量に生産されている光ディスクの収納ケースを立たせることができるように変更することが求められたが、前述したような従来の収納ケースを立たせる構造を付加するには、収納ケースの構造を大幅に変更することが必要になる。光ディスクの収納ケースは、高度な成形技術に基づいて形成されているため、変更を加えるとコストが大幅に上昇するという問題があった。このため、収納ケースの構造を変更することなく、カード立て等として使用可能とすることが必要であった。
【０００５】
本発明が解決しようとする課題は、上記従来技術の問題点を解決し、光ディスクを収納する収納ケースの基本構造を変更することなく、蓋体を開いた状態に立たせることができる収納ケースのスタンド部材を提供することにある。
【課題を解決するための手段】
【０００６】
本発明の収納ケースのスタンド部材は、第１の収納部を有する本体と、該本体に開閉自在に取り付けられ且つ第２の収納部を有する蓋体と、を備える収納ケースにおいて、板状のスタンド本体と、該スタンド本体から突出し、前記本体内部に回動自在に取り付けられる脚部と、前記スタンド本体に設けられ且つ開状態にある前記蓋体に回動させることにより蓋体の内側から係合して開状態を保持する係合部と、を備えている。
【０００７】
この収納ケースのスタンド部材における前記スタンド本体は、前記蓋体を閉状態にしたときに、開閉自在に取り付けられている前記本体の端部と前記蓋体の端部との間に生じる隙間内に位置するものとなっている。また、前記脚部は、前記本体に摩擦による抵抗が生じる状態で開閉自在に取り付けられている。
【発明の効果】
【０００８】
本発明の収納ケースのスタンド部材は、スタンド本体と脚部と係合部を有している。脚部は、収納ケースの蓋体と同方向の回転軸に関して回動するように収納ケースの本体に取り付けられている。また、スタンド本体の解放端にある係合部は、スタンド部材を回動させると本体の上方に飛び出し、開状態にある蓋体の内側に係合するものとなっている。これにより、スタンド部材を取り付けるだけで光ディスクを収納する既存の収納ケースを、蓋体が開いた状態で立てることができるように構成することができる。
【０００９】
また、スタンド本体は、収納ケースの蓋体を閉じたときに本体の端部と蓋体の端部との間に生じる隙間内に収まるように設定されている。これにより、収納ケースの隙間を封止することができ、また、収納ケースの構成を変えることなくデッドスペース内にスタンド部材を収めることができる。
【発明を実施するための最良の形態】
【００１０】
本発明の収納ケースのスタンド部材は、スタンド本体と脚部と係合部を有している。スタンド本体は板状に形成されている。また、脚部は、収納ケースの蓋体と同方向の回転軸に関して回動するように収納ケースの本体に取り付けられている。また、スタンド本体の解放端にある係合部は、スタンド部材を回動させると本体の上方に飛び出し、開状態にある蓋体の内側に係合するものとなっている。このため、スタンド部材を取り付けると、収納ケースの蓋体を開いた状態で立てることができるようになる。
【実施例】
【００１１】
以下図面に基づいて本発明の一実施例を説明する。図１は本発明の一実施例に係るスタンド部材を取り付けた収納ケースの側面図、図２は図１に示す収納ケースの要部拡大図、図３は図２のＡ−Ａ線断面図、図４は図２のＢ−Ｂ線断面図、図５は図１に示す収納ケースの斜視図、図６は図１に示すスタンド部材の斜視図、図７は図６に示すスタンド部材の正面図、図８は図６に示すスタンド部材の平面図、図９は図６に示すスタンド部材の左側面図、図１０は図６に示すスタンド部材の底面図、図１１は図６に示すスタンド部材の背面図である。尚、本実施例における収納ケース及びスタンド部材は全て同一の透明なプラスチックで成形されている。
【００１２】
２は収納ケースであり、図中上方が開口した箱状の本体４と、この本体４に開閉自在に取り付けられた蓋体６とを備えている。本実施例における収納ケース２は、前述した光ディスクを収納する収納ケースから光ディスクを保持するディスク保持体を取り外した状態のものと同様のものである。本体４は、互いに対向する側壁４ａの図中左方の端部に、蓋体６と後に詳述するスタンド部材をそれぞれ取り付ける孔部又は切欠状の凹部からなる取付部受４ｂ、４ｃを有している。また、蓋体６は、本体４の側壁４ａの外側に被る互いに対向する側壁６ａを有しており、この側壁６ａの図中左方の端部に、本体４の取付部受４ｂに適合する軸体又は突出部からなる取付部６ｂが設けられている。更にこの蓋体６の側壁６ａには、内方に突出する略半円形状をなす複数の突出部６ｃからなるホルダが設けられている。
【００１３】
８は本体４に回動自在に取り付けられたスタンド部材である。このスタンド部材８は、本体４の側壁４ａ間にほぼ収まる長さに設定された細長い板状をなすスタンド本体８ａと、その長手方向の両端部における短手方向の一端に設けられた脚部８ｂと、スタンド本体８ａの短手方向の他端に設けられた係合部８ｃと、を備えている。スタンド本体８ａは、収納ケース２の本体４と蓋体６との間に生じる隙間に適合するように設定されている。この隙間は、蓋体６の取付部６ｂを中心として開閉する際に、蓋体６が本体４に干渉しないように、蓋体６の表面板６ｄの取付部６ｂ近傍を切り欠くことで生じるものである。このため、スタンド本体８ａは、表面板６ｄの切欠部６ｅにほぼ適合する大きさに設定されている。また、脚部８ｂは、スタンド本体８ａの長手方向の両端部における短手方向の一端から本体４の側壁４ａに沿うように斜め裏面方向に突出するように略台形状に形成され、その台形の一辺にはスタンド部材８を立てた時に所定の角度で支える傾斜面８ｄを有し、また外側面には前記本体４の取付部受４ｃに適合する軸体又は突出部からなる取付部８ｅを有している。
【００１４】
次に上記構成からなる収納ケースのスタンド部材８の作用を説明する。このスタンド部材８は、その脚部８ｂの取付部８ｅを収納ケース２の本体４の取付部受４ｃに嵌め込むことにより、本体４に回動自在に取り付けられている。このスタンド部材８は、その解放端となる係合部８ｃが、収納ケース２の本体４の取付部受４ｂと蓋体６の取付部６ｂが設けられている方の端部に係止した状態で本体４内に収められている。この状態のときに、スタンド部材８のスタンド本体８ａは、閉状態にある蓋体６の切欠部６ｅに適合し、蓋体６の表面板６ｄとほぼ面一となるように設定されている。尚、本実施例におけるスタンド部材８は、蓋体６が閉状態になると、脚部８ｂの上に蓋体６が位置し、この蓋体６により脚部８ｂが押さえ込まれることで回動が抑止される。
【００１５】
次に蓋体６を開くと、スタンド部材８の脚部８ｂ上の蓋体６がなくなるため、スタンド部材８は回動可能となる。この状態において、スタンド部材８を所定方向（図１における時計方向）に回動させ、脚部８ｂの傾斜面８を本体４上に当接してスタンド本体８ａを立て、本体４の上方外側に係合部８ｃが位置するようにする。その後、蓋体６をスタンド部材８によりかかるように倒して、その表面板６ｄに係合部８ｃを突き当てる。これにより、蓋体６はスタンド部材８により支持されて、斜めに開いた状態に保持される。
【００１６】
上記のように収納ケース２の蓋体６を開状態に保持すると、本体４が蓋体６等全てを支える台となり、開状態にある蓋体６を立った状態で収納ケース２を机上等に載置することができる。このため、本体４内に光ディスク等を収めるだけでなく、突出部６ｃと表面板６ｄとの間に歌詞カード、カレンダー、写真等のシート状部材１０を挿入することでカード立て等として使用することが可能となる。特に、このスタンド部材８は、収納ケース２に取付部受４ｃが設けられていれば取付可能である。この取付部受４ｃは、トレー状のディスク保持体等を取り付ける孔等をそのまま使用することが可能であり、既存の収納ケースをそのまま使用することが可能である。また、取付部受４ｃがないケースであっても、孔や凹部を形成するだけでスタンド部材を取り付けることができ、ケースの基本構造を全く変更することなく取り付けることができる。
【００１７】
尚、スタンド部材８は、抵抗なく自在に回動するように本体４に取り付けても良いが、その取付部８ｅと取付部受４ｃとの間、あるいは脚部８ｂと側壁４ａとの間に、適度な摩擦が生じるように取付部８ｅや脚部８ｂの幅等の寸法を設定すれば、任意の位置でスタンド部材８を止め易くすることができる。
【００１８】
また、本実施例におけるスタンド部材８は、図示した光ディスクを収納する収納ケース２だけでなく、写真、カレンダ等を収納する収納ケースにも簡単に適合させることができる。
【００１９】
また、本実施例においては、収納ケース２とスタンド部材８を同一の材料で形成しているが、必ずしもその必要はなく、スタンド部材８を収納ケース２と異なる材料で形成しても良い。
【図面の簡単な説明】
【００２０】
【図１】本発明の一実施例に係るスタンド部材を取り付けた収納ケースの断面図である。
【図２】図１に示す収納ケースの要部拡大図であり、（ａ）は蓋体を閉じた状態の側面図、（ｂ）は蓋体を開けてスタンド部材を立てた状態の側面図である。
【図３】図２のＡ−Ａ線断面図である。
【図４】図２のＢ−Ｂ線断面図である。
【図５】図１に示す収納ケースの斜視図である。
【図６】図１に示すスタンド部材の斜視図である。
【図７】図６に示すスタンド部材の正面図である。
【図８】図６に示すスタンド部材の平面図である。
【図９】図６に示すスタンド部材の左側面図である。
【図１０】図６に示すスタンド部材の底面図である。
【図１１】図６に示すスタンド部材の背面図である。
【符号の説明】
【００２１】
２    収納ケース
４    本体
４ａ  側壁
４ｂ、４ｃ  取付部受
６    蓋体
６ａ  側壁
６ｂ  取付部
６ｃ  突出部
６ｄ  表面板
６ｅ  切欠部
８    スタンド部材
８ａ  スタンド本体
８ｂ  脚部
８ｃ  係合部
８ｄ  傾斜面
８ｅ  取付部
１０  シート状部材
【図１】
2010111413.tif 000003
【図２】
2010111413.tif 000004
【図３】
2010111413.tif 000005
【図４】
2010111413.tif 000006
【図５】
2010111413.tif 000007
【図６】
2010111413.tif 000008
【図７】
2010111413.tif 000009
【図８】
2010111413.tif 000010
【図９】
2010111413.tif 000011
【図１０】
2010111413.tif 000012
【図１１】
2010111413.tif 000013